【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
操作される操作手段と、
前記操作手段の操作を検出する検出手段と、
前記操作手段を発光させる発光手段、および前記操作手段の近辺を発光させる発光手段のうち少なくとも一方である第一の発光手段と、
前記検出手段の検出結果に基づいて遊技の進行の制御を行う制御手段と、
を備えた遊技台であって、
前記検出手段、および前記第一の発光手段は、第一の回路基板に備えられるものとし、
前記第一の回路基板は、一の電力供給経路に、前記検出手段、および前記第一の発光手段を、並列的に接続して備えるものとし、
前記検出手段は、前記操作手段への操作があった場合における出力状態と、前記操作手段への操作がなかった場合における出力状態と、を異ならせるものとし、
前記第一の回路基板は、さらに、前記第一の発光手段を発光させる時期と同時期で発光させるための第二の発光手段を、前記一の電力供給経路に並列的に接続するものとし、
前記第一の発光手段は、光を通過させる第一の透光部により覆われるものとし、
前記第二の発光手段は、前記第一の透光部とは異なる第二の透光部により覆われるものとし、
前記第二の透光部は、前記操作手段から前記第一の透光部までの距離より、前記操作手段から前記第二の透光部までの距離の方が長い距離となる位置に備えられたものとする、
ことを特徴とする遊技台。
【請求項２】
請求項１に記載の遊技台であって、
前記第一の発光手段は、同じ発光色の複数のＬＥＤにより構成されるものであり、
前記第二の発光手段は、単数のＬＥＤにより構成されるものであり、
前記第二の発光手段の発光色は、前記第一の発光手段の発光色とは異なるものである、
ことを特徴とする遊技台。
【請求項３】
請求項１または請求項２に記載の遊技台であって、
複数の図柄を表示する表示装置を有し、
前記第一の発光手段から前記表示装置までの距離は第一の距離であり、
前記第二の発光手段から前記表示装置までの距離は第二の距離であり、
前記第二の距離は、前記第一の距離よりも小さい、
ことを特徴とする遊技台。
【手続補正２】
【補正対象書類名】明細書
【補正対象項目名】０００６
【補正方法】変更
【補正の内容】
【０００６】
本発明に係る遊技台は、操作される操作手段と、前記操作手段の操作を検出する検出手段と、前記操作手段を発光させる発光手段、および前記操作手段の近辺を発光させる発光手段のうち少なくとも一方である第一の発光手段と、前記検出手段の検出結果に基づいて遊技の進行の制御を行う制御手段と、を備えた遊技台であって、前記検出手段、および前記第一の発光手段は、第一の回路基板に備えられるものとし、前記第一の回路基板は、一の電力供給経路に、前記検出手段、および前記第一の発光手段を、並列的に接続して備えるものとし、前記検出手段は、前記操作手段への操作があった場合における出力状態と、前記操作手段への操作がなかった場合における出力状態と、を異ならせるものとし、前記第一の回路基板は、さらに、前記第一の発光手段を発光させる時期と同時期で発光させるための第二の発光手段を、前記一の電力供給経路に並列的に接続するものとし、前記第一の発光手段は、光を通過させる第一の透光部により覆われるものとし、前記第二の発光手段は、前記第一の透光部とは異なる第二の透光部により覆われるものとし、前記第二の透光部は、前記操作手段から前記第一の透光部までの距離より、前記操作手段から前記第二の透光部までの距離の方が長い距離となる位置に備えられたものとする、ことを特徴とするものである。
【手続補正３】
【補正対象書類名】明細書
【補正対象項目名】０２２９
【補正方法】変更
【補正の内容】
【０２２９】
以上説明したように、本実施形態の遊技台（例えば、スロットマシン１００）は、操作される操作手段（例えば、スタートレバー１３５、ストップボタン１３７〜１３９など）と、前記操作手段の操作を検出する検出手段（例えば、スタートレバーセンサ６０２、各種センサ３１８など）と、前記操作手段を発光させる発光手段（例えば、第１ストップボタンランプ８０４）、および前記操作手段の近辺を発光させる発光手段（例えば、第１スタートレバーランプ６０４）のうち少なくとも一方である第一の発光手段（例えば、第１スタートレバーランプ６０４）と、前記検出手段の検出結果に基づいて遊技の進行の制御を行う制御手段（例えば、主制御部３００）と、を備えた遊技台であって、前記検出手段、および前記第一の発光手段は、第一の回路基板（例えば、第１回路基板６１６）に備えられるものとし、前記第一の回路基板は、一の電力供給経路に、前記検出手段、および前記第一の発光手段を、並列的に接続して備えるものとし、前記検出手段は、前記操作手段への操作があった場合における出力状態と、前記操作手段への操作がなかった場合における出力状態と、を異ならせるものとし、前記第一の回路基板は、さらに、前記第一の発光手段を発光させる時期と同時期で発光させるための第二の発光手段（例えば、第２スタートレバーランプ６０６）を、前記一の電力供給経路に並列的に接続するものとし、前記第一の発光手段は、光を通過させる第一の透光部（例えば、透光部６１２）により覆われるものとし、前記第二の発光手段は、前記第一の透光部とは異なる第二の透光部（例えば、透光部６１４）により覆われるものとし、前記第二の透光部は、前記操作手段から前記第一の透光部までの距離より、前記操作手段から前記第二の透光部までの距離の方が長い距離となる位置に備えられたものとする、ことを特徴とする遊技台である。
このような構成とすることにより、第一の発光手段（第１スタートレバーランプ６０４）が遊技者の手などで覆われることでその発光態様が外部から視認困難となっても、第二の発光手段（第２スタートレバーランプ６０６）の発光態様によってスタートレバー１３５の操作受付が可能であることを外部に報知することが可能となる。つまり、遊技者がスタートレバー１３５の周囲（第１スタートレバーランプ６０４）を手で覆うなどして不正を行っている（不正に乱数を取得している）場合であっても、第２スタートレバーランプ６０６が天面部６１０Ｕから透光部６１４を介して発光し、報知することにより、スタートレバー１３５の操作受付が可能であることを遊技場の天井に取り付けられたカメラや遊技場の店員が遊技者とは異なる方向（上方）からそれを視認することができ、不正行為を報知することができる場合がある。また、不正行為に限らず、遊技者がスタートレバー１３５の周囲を手で覆うなどして第１スタートレバーランプ６０４の発光態様が視認困難となっていても、第２スタートレバーランプ６０６の発光態様を確認することで、第１スタートレバーランプ６０４、第２スタートレバーランプ６０６への電源供給の有無、さらにスタートレバーセンサ２０２への電源供給の有無を同時に報知することができる場合がある。
また、第一の発光手段（例えば、第１スタートレバーランプ６０４）前記第一の発光手段は、同じ発光色の複数のＬＥＤ（例えば、ＬＥＤ６０４Ａ〜６０４Ｄ）により構成されるものであり、前記第二の発光手段は、単数のＬＥＤ（例えば、ＬＥＤ６０６Ａ）により構成されるものであり、前記第二の発光手段の発光色は、第一の発光手段の発光色とは異なるものとしてもよい。
このような構成によれば、数が少ない第二の発光手段を目立たせることができる場合がある。
また、複数の図柄を表示する表示装置（例えば、各リール１１０〜１１２）を有し、前記第一の発光手段から前記表示装置までの距離は第一の距離であり、前記第二の発光手段から前記表示装置にまでの距離は第二の距離であり、前記第二の距離は、前記第一の距離よりも小さい、ものとしてもよい。
このような構成によれば、遊技者が注視する表示装置（例えば、各リール１１０〜１１２）に近い位置にある第二の発光手段を目立たせることができる場合がある。
また、本実施形態の遊技台（例えば、スロットマシン１００）は操作される操作手段（例えば、スタートレバー１３５、ストップボタン１３７〜１３９など）と、前記操作手段の操作を検出する検出手段例えば、スタートレバーセンサ６０２、各種センサ３１８など）と、前記操作手段を発光させる発光手段（例えば、第１ストップボタンランプ８０４）、および前記操作手段の近辺を発光させる発光手段（例えば、第１スタートレバーランプ６０４）のうち少なくとも一方である第一の発光手段（例えば、第１スタートレバーランプ６０４）と、前記検出手段の検出結果に基づいて遊技の進行の制御を行う制御手段（例えば、主制御部３００）と、を備えた遊技台であって、前記検出手段、および前記第一の発光手段は、第一の回路基板（例えば、第１回路基板６１６）に備えられるものとし、前記第一の回路基板は、一の外部接続装置（例えば、コネクタ６２２）を備えるものとし、前記第一の回路基板は、一の電力供給経路に、前記検出手段、および前記第一の発光手段を、並列的に接続して備えるものとし、前記制御手段は、第二の回路基板（例えば、主基板１５６）に備えられるものとし、前記第二の回路基板は、前記一の外部接続装置を介して前記第一の回路基板に接続されるものとし、前記第二の回路基板は、第二の発光手段（例えば、モニタランプ６３０）を含むモニタ装置（例えば、モニタランプ回路６４０）を備えるものとし、前記検出手段は、前記操作手段への操作があった場合における出力状態と、前記操作手段への操作がなかった場合における出力状態と、を異ならせるものとし、前記モニタ装置は、前記第二の発光手段の発光態様を、前記検出手段の出力状態に応じた発光態様とするものとし、前記第一の回路基板は、さらに、前記第一の発光手段を発光させる時期と同時期で発光させるための第三の発光手段（例えば、第２スタートレバーランプ６０６）を、前記一の電力供給経路に並列的に接続するものとし、前記第一の発光手段は、光を通過させる第一のレンズ（例えば、透光部６１２）により覆われるものとし、前記第三の発光手段は、前記第一のレンズの形状とは異なる形状である第二のレンズ（例えば、透光部６１４）により覆われるものとし、前記第二のレンズは、前記操作手段から前記第一のレンズまでの距離より、前記操作手段から前記第二のレンズまでの距離の方が長い距離となる位置に備えられたものとする、ことを特徴とする遊技台である。
このような構成とすることにより、第一の発光手段（第１スタートレバーランプ６０４）が遊技者の手などで覆われることでその発光態様が外部から視認困難となっても、第二の発光手段（第２スタートレバーランプ６０６）の発光態様によってスタートレバー１３５の操作受付が可能であることを外部に報知することが可能となる。つまり、遊技者がスタートレバー１３５の周囲（第１スタートレバーランプ６０４）を手で覆うなどして不正を行っている（不正に乱数を取得している）場合であっても、第２スタートレバーランプ６０６が天面部６１０Ｕから透光部６１４を介して発光し、報知することにより、スタートレバー１３５の操作受付が可能であることを遊技場の天井に取り付けられたカメラや遊技場の店員が遊技者とは異なる方向（上方）からそれを視認することができ、不正行為を報知することができる場合がある。また、不正行為に限らず、遊技者がスタートレバー１３５の周囲を手で覆うなどして第１スタートレバーランプ６０４の発光態様が視認困難となっていても、第２スタートレバーランプ６０６の発光態様を確認することで、第１スタートレバーランプ６０４、第２スタートレバーランプ６０６への電源供給の有無、さらにスタートレバーセンサ２０２への電源供給の有無を同時に報知することができる場合がある。
また、前記一の外部接続装置は、複数の接続部を備えるものとし、前記複数の接続部のうちの一つは、前記第一の発光手段および前記第三の発光手段の信号経路の接続部である第一の接続部（例えば、第３ピン６２２３）とし、前記複数の接続部のうちの一つは、前記検出手段の信号経路の接続部である第二の接続部（例えば、第２ピン６２２２）とし、前記第一の接続部と前記第二の接続部とは、隣り合って備えられたものとしてもよい。
このような構成とすることにより、不正対策に効果的な遊技台を提供できる。すなわち、信号変化のある第２ピン６２２２と第３ピン６２２３に対して不正な仕込みをする者があった場合、これらのピンが近接していると、意図せず第２ピン６２２２と第３ピン６２２３の間がショートする場合がある。そうなると、スタートレバー１３５の操作受付時には第２ピン６２２２を介してスタートレバーセンサ信号ラインに電流が流れ続ける（受光素子６０２Ｒに電流が流れ続ける）ため、スタートレバー１３５の操作があり、スタートレバーセンサ６０２を検知部１３５Ｓが通過して発光素子６０２Ｅからの発光を遮断した状態であっても、受光素子６０２Ｒでは電流が遮断される状態とならない。つまり、スタートレバー１３５操作の受付ができないため、不正な遊技を防止できる場合がある。
また、前記第一の発光手段（例えば、第１スタートレバーランプ６０４）および前記第三の発光手段（例えば、第２スタートレバーランプ６０６）は、前記操作手段の操作受付が行われている期間は、発光するものとし、前記操作手段の操作受付が行われていない期間は、発光しないものとしてもよい。
このような構成にすることにより、第一の発光手段と第三の発光手段は、操作受付に関して同じタイミングで発光することから、遊技者がスタートレバー１３５の周囲を手で覆うなどして第一の発光手段の発光態様が視認困難となっていても、第三の発光手段の発光態様を確認すれば、第一の発光手段の発光態様、すなわち、操作手段の操作受付の有無や、センサ６０２などへの電源供給の有無を判断できる場合がある。
また、前記一の外部接続装置は、第三の接続部（例えば、第１ピン６２２１）、および第四の接続部（例えば、第４ピン６２２４）を有するものとし、前記第一の接続部、前記第二の接続部、前記第三の接続部、および前記第四の接続部は、一列に配置されるものとし、前記第三の接続部は、前記一列の一端に配置されるものとし、前記第三の接続部は、前記一の電力供給経路の接続部とし、前記第四の接続部は、前記一列の他端に配置されるものとし、前記第四の接続部は、グラウンドの接続部としてもよい。
このような構成とすることにより、最も低電位となる第一の接続部と最も高電位となる第四の接続部を外側に配置してこれらを離間させることにより、これらの間のショート防止にも効果的で外乱の影響も受けにくい外部接続装置を提供できる場合がある。
また、前記第一の発光手段は、赤色に発光するものとし、前記検出手段は、赤外光を発光する検出発光装置（例えば、発光素子６０２Ｅ）と前記赤外光を受光する検出受光装置（例えば、受光素子６０２Ｒ）とを少なくとも有するものとし、前記第一の回路基板は、少なくとも前記赤外光を通過困難にする樹脂ケース（例えば、パッケージ６１０）で覆われているものとし、前記樹脂ケースは、前記検出発光装置を収納する検出発光装置収納部位と、前記検出受光装置を収納する検出受光装置収納部位と、前記第一の発光手段の発光方向を規制するリフレクタとを、少なくとも備えるものとしてもよい。
このような構成によれば、センサの誤検知を防止できる場合がある。樹脂層の表面から遊技台の外部までの間（樹脂層から前面扉の筐体までの間）に空間があるため、この空間で外部に放出されなかった第一の発光手段の発光の一部が反射し合うと、ユニット（樹脂層）表面に強い光を放ち、樹脂層内部に侵入する場合がある。特にセンサの光が赤外光で第一の発光手段が赤色光を発光する場合、これらの波長が近く、樹脂層内部に侵入した赤色光を受光素子が受光してしまい、誤検知となる場合がある。そこで、リフレクタを設けると共にユニットを、赤外光を通過困難とする樹脂層で覆うことで、センサの誤検知を防止することができる場合がある。
また、前記第一の回路基板は、側面視において略Ｌ字の形状とするものとしてもよい。このような構成によれば、第一の発光手段と第三の発光手段とを異なる平面上に配置することができ、遊技者がスタートレバー１３５の周囲を手で覆うなどして第一の発光手段の発光態様が視認困難となっていても、第三の発光手段の発光態様が視認容易となる場合がある。
また、本実施形態の遊技台（例えば、スロットマシン１００）は、操作装置（例えば、スタートレバー１３５）を備える操作手段（例えば、スタートレバー１３５、ストップボタン１３７〜１３９など）と、前記操作手段の操作を検出するセンサ（例えば、スタートレバーセンサ６０２）を備える検出手段（例えば、スタートレバーセンサ６０２、各種センサ３１８など）と、前記操作装置を発光させる装置（例えば、第１ストップボタンランプ８０４）、および前記操作装置の近辺を発光させる装置（例えば、第１スタートレバーランプ６０４）のうち少なくとも一方の装置である第一の操作発光装置（例えば、第１スタートレバーランプ６０４）を備える発光手段（例えば、第１スタートレバーランプ６０４、各種ランプ３３６など）と、を備えた遊技台であって、前記発光手段は、第二の操作発光装置（例えば、第２スタートレバーランプ６０６）を備えるものとし、前記第一の操作発光装置は、第一の位置で発光するものとし、前記第二の操作発光装置は、第二の位置で発光するものとし、前記第一の操作発光装置は、第一の発光色（例えば、赤色）で発光するものとし、前記第二の操作発光装置は、第二の発光色（例えば、青色）で発光するものとし、前記第二の位置は、前記操作装置までの距離が、前記第一の位置と前記操作装置との間の距離より長い距離となる位置とし、前記センサ、前記第一の操作発光装置、前記第二の操作発光装置、および回路基板は、ユニット化された装置（例えば、操作ユニット６００）内に備えられたものとし、前記回路基板は、一の外部接続装置（例えば、コネクタ６２２）を備えるものとし、前記回路基板は、一の電力供給経路に、前記センサ、前記第一の操作発光装置、および前記第二の操作発光装置を、並列的に接続して備えるものとする、ことを特徴とする遊技台である。